(57)【要約】【課題】無線通信端末に対し広域基地局から狭域基地局に通信を切り替えさせる場合、無線通信端末の機能変更を伴わずに狭域基地局に通信を切り替えさせることができる基地局装置を提供すること。【解決手段】広域基地局５およびフェムトセル基地局１０と通信可能な無線通信端末９に付属したＲＦタグ９ａとの通信を行うＲＦタグインタフェース部１４と、無線通信端末９との通信を行う端末通信部１１と、広域基地局５との通信を行うネットワークインタフェース部１３と、ＲＦタグインタフェース部１４がＲＦタグ９ａから送信された信号を検知した場合において、無線通信端末９が広域基地局５と通信している際、無線通信端末９が端末通信部１１と通信させるように切り替えさせるための切替情報を広域基地局５に基地局通信部１１を介して通知する制御部１２とを備える。【選択図】図２
2010004103.tif 000002
【特許請求の範囲】
【請求項１】
広域基地局で通信可能な広域エリア内にある狭域エリアで通信可能な狭域基地局の基地局装置であって、
前記広域基地局および前記狭域基地局と通信可能な無線通信端末に付属した無線ＩＣ機器との通信を行うＩＣ通信部と、
前記無線通信端末との通信を行う端末通信部と、
前記広域基地局との通信を行う基地局通信部とを備え、
前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記広域基地局に前記基地局通信部を介して通知する制御部とを備えたことを特徴とする基地局装置。
【請求項２】
前記無線ＩＣ機器から送信された信号には、前記無線通信端末の識別子または無線ＩＣ機器の識別子が設定されており、
前記制御部は、前記識別子から前記無線通信端末と通信している広域基地局を、前記広域基地局を管理する管理サーバに前記基地局通信部を介して問い合わせて特定し、特定した広域基地局に前記切替情報を通知することを特徴とする請求項１に記載の基地局装置。
【請求項３】
前記制御部は、前記特定した広域基地局と前記無線通信端末との通信状態を管理サーバに問い合わせ、前記通信状態が通信中のとき、前記特定した広域基地局からハンドオフさせる旨を前記切替情報に設定することを特徴とする請求項１または請求項２に記載の基地局装置。
【請求項４】
前記制御部は、前記特定した広域基地局と前記無線通信端末との通信状態を管理サーバに問い合わせ、前記通信状態が待受中のとき、前記特定した広域基地局が前記無線通信端末に待受させる旨を前記切替情報に設定することを特徴とする請求項１または請求項２に基地局装置。
【請求項５】
前記ＩＣ通信部の通信可能距離と前記端末通信部の通信可能距離とが略同じであることを特徴とする請求項１から請求項４までの何れかに基地局装置。
【請求項６】
広域基地局で通信可能な広域エリア内にある狭域エリアで通信可能な狭域基地局の基地局装置であって、
前記広域基地局および前記狭域基地局と通信可能な無線通信端末に付属した無線ＩＣ機器との通信を行うＩＣ通信部と、
前記無線通信端末との通信を行う端末通信部と、
前記広域基地局を制御する管理サーバとの通信を行う基地局通信部とを備え、
前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記管理サーバに前記基地局通信部を介して通知する制御部とを備えたことを特徴とする基地局装置。
【請求項７】
広域基地局で通信可能な広域エリア内にある狭域エリアで通信可能な狭域基地局の基地局装置と、前記広域基地局および前記狭域基地局と通信可能な無線通信端末とを備えた無線通信システムであって、
前記無線通信端末に付属した無線ＩＣ機器を有し、
前記基地局装置が、
前記無線通信端末との通信を行う端末通信部と、
前記無線ＩＣ機器との通信を行うＩＣ通信部と、
前記広域基地局との通信を行う基地局通信部とを備え、
前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記広域基地局に前記基地局通信部を介して通知する制御部とを備えたことを特徴とする無線通信システム。
【請求項８】
広域基地局で通信可能な広域エリア内にある狭域エリアで通信可能な狭域基地局の基地局装置と、前記広域基地局および前記狭域基地局と通信可能な無線通信端末とを備えた無線通信システムであって、
前記無線通信端末に付属した無線ＩＣ機器を有し、
前記基地局装置が、
前記無線通信端末との通信を行う端末通信部と、
前記無線ＩＣ機器との通信を行うＩＣ通信部と、
前記広域基地局を制御する管理サーバとの通信を行う基地局通信部とを備え、
前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記管理サーバに前記基地局通信部を介して通知する制御部とを備えたことを特徴とする無線通信システム。
【発明の詳細な説明】
【技術分野】
【０００１】
本発明は、狭域のエリア内で無線通信端末と通信する基地局装置および無線通信システムに関する。
【背景技術】
【０００２】
近年、無線通信システムにおいて、フェムトセル（Femtocell）と呼ばれる通信方式が提案されており、フェムトセルは、公衆網のサービスエリアより狭く局所的なサービスエリアで無線通信端末の通信を可能にするものである（例えば、非特許文献１参照）。
【０００３】
フェムトセルを実現する基地局（以下、フェムトセル基地局という。）が通信可能なサービスエリア（以下、フェムトセルエリアという。）は、基本的に、公衆網の基地局が通信可能なサービスエリア（以下、公衆網エリアという。）内にある。フェムトセル基地局は、例えば、家屋内やオフィス内などに設置される。無線通信端末は、公衆網エリアの広域基地局、フェムトセル基地局、どちらの基地局とも通信することが可能である。
【０００４】
フェムトセル基地局が設置された形態においては、無線通信端末が、フェムトセル基地局と通信することで、フェムトセルエリア内でサービスを受けることができる。このサービスとは、例えば、通話、電子メール、ＳＭＳ、またはＷＥＢブラウジングなどである。
【非特許文献１】“フェムトセル”、[online] 、[平成２０年５月２９日検索] 、インターネット(ＵＲＬ：    http://ja.wikipedia.org/wiki/%E3%83%95%E3%82%A7%E3%83%A0%E3%83%88%E3%82%BB%E3%83%AB)
【発明の開示】
【発明が解決しようとする課題】
【０００５】
しかしながら、上述した従来の無線通信システムにおいて、公衆網エリアの広域基地局と通信している無線通信端末が、フェムトセル基地局にハンドオフを行うためには、フェムトセル基地局の一覧リストから通信可能なフェムトセル基地局をサーチする手段、サーチしたフェムトセル基地局からのパイロット信号の受信強度を測定する手段、および、フェムトセル基地局を認証する手段が、無線通信端末の通信機能に追加または修正する必要が生じてしまう。
【０００６】
今後開発される新規の無線通信端末では、上述した手段を機能追加すればよいが、上述した手段をもたない従来の無線通信端末では、通信している公衆網エリアの広域基地局からフェムトセル基地局にハンドオフを自律で行うことができないため、ユーザの利便性が損なわれることになってしまう。
【０００７】
そこで、本発明は、従来の問題を解決するためになされたもので、無線通信端末に対し広域基地局から狭域基地局に通信を切り替えさせる場合、無線通信端末の機能変更を伴わずに狭域基地局に通信を切り替えさせることができる基地局装置および無線通信システムを提供することを目的とする。
【課題を解決するための手段】
【０００８】
本発明の基地局装置は、広域基地局で通信可能な広域エリア内にある狭域エリアで通信可能な狭域基地局の基地局装置であって、前記広域基地局および前記狭域基地局と通信可能な無線通信端末に付属した無線ＩＣ機器との通信を行うＩＣ通信部と、前記無線通信端末との通信を行う端末通信部と、前記広域基地局との通信を行う基地局通信部とを備え、前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記広域基地局に前記基地局通信部を介して通知する制御部とを備えた構成を有している。
【０００９】
この構成により、無線ＩＣ機器から送信された信号を検知した場合において、無線通信端末が広域基地局と通信している際、無線通信端末が自己の基地局装置と通信させるように切り替えさせるための切替情報を広域基地局に通知することで、広域基地局が無線通信端末に対し切り替えを指示させるため、無線通信端末の機能変更を伴わずに狭域基地局に通信を切り替えさせることができる。
【００１０】
また、本発明の基地局装置は、前記無線ＩＣ機器から送信された信号には、前記無線通信端末の識別子または無線ＩＣ機器の識別子が設定されており、前記制御部は、前記識別子から前記無線通信端末と通信している広域基地局を、前記広域基地局を管理する管理サーバに前記基地局通信部を介して問い合わせて特定し、特定した広域基地局に前記切替情報を通知する構成を有している。
【００１１】
この構成により、無線通信端末の識別子または無線ＩＣ機器の識別子から無線通信端末と通信している広域基地局を管理サーバを介して特定するため、広域基地局を精度高く特定することができる。
【００１２】
また、本発明の基地局装置の制御部は、前記特定した広域基地局と前記無線通信端末との通信状態を管理サーバに問い合わせ、前記通信状態が通信中のとき、前記特定した広域基地局からハンドオフさせる旨を前記切替情報に設定する構成を有している。
【００１３】
この構成により、通信状態が通信中のとき、特定した広域基地局からハンドオフさせる旨を切替情報に設定し、設定した切替情報を管理サーバに送信するため、ハンドオフの準備に前もって備えることができる。
【００１４】
また、本発明の基地局装置の制御部は、前記特定した広域基地局と前記無線通信端末との通信状態を管理サーバに問い合わせ、前記通信状態が待受中のとき、前記特定した広域基地局が前記無線通信端末に待受させる旨を前記切替情報に設定する構成を有している。
【００１５】
この構成により、前記通信状態が待受中のとき、前記特定した広域基地局が前記無線通信端末に待受させる旨を切替情報に設定し、設定した切替情報を管理サーバに送信するため、待受け処理の準備に前もって備えることができる。
【００１６】
また、本発明の基地局装置は、前記ＩＣ通信部の通信可能距離と前記端末通信部の通信可能距離とが略同じである構成を有している。
【００１７】
この構成により、ＩＣ通信部の通信可能距離と端末通信部の通信可能距離とが略同じであるため、ＩＣ通信部と無線ＩＣ機器との通信および端末通信部と無線通信端末との通信が同時に通信することが可能であり、ＩＣ通信部の通信可能距離が端末通信部の通信可能距離よりも長いために、ＩＣ通信部で信号を検知できたときに端末通信部で無線通信端末から送信される信号を検知できないといった不具合を解消することができる。
【００１８】
また、本発明の基地局装置は、広域基地局で通信可能な広域エリア内にある狭域エリアで通信可能な狭域基地局の基地局装置であって、前記広域基地局および前記狭域基地局と通信可能な無線通信端末に付属した無線ＩＣ機器との通信を行うＩＣ通信部と、前記無線通信端末との通信を行う端末通信部と、前記広域基地局を制御する管理サーバとの通信を行う基地局通信部とを備え、前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記管理サーバに前記基地局通信部を介して通知する制御部とを備えた構成を有している。
【００１９】
この構成により、無線ＩＣ機器から送信された信号を検知した場合において、無線通信端末が広域基地局と通信している際、無線通信端末が端末通信部と通信させるように切り替えさせるための切替情報を管理サーバに基地局通信部を介して通知することで、広域基地局が無線通信端末に対し切り替えを指示させるため、無線通信端末の機能変更を伴わずに狭域基地局に通信を切り替えさせることができる。
【００２０】
本発明の無線通信システムは、広域基地局で通信可能な広域エリア内にある狭域エリアで通信可能な狭域基地局の基地局装置と、前記広域基地局および前記狭域基地局と通信可能な無線通信端末とを備えた無線通信システムであって、前記無線通信端末に付属した無線ＩＣ機器を有し、前記基地局装置が、前記無線通信端末との通信を行う端末通信部と、
前記無線ＩＣ機器との通信を行うＩＣ通信部と、前記広域基地局との通信を行う基地局通信部とを備え、前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記広域基地局に前記基地局通信部を介して通知する制御部とを備えた構成を有している。
【００２１】
この構成により、無線ＩＣ機器から送信された信号を検知した場合において、無線通信端末が広域基地局と通信している際、無線通信端末が基地局装置と通信させるように切り替えさせるための切替情報を広域基地局に通知することで、広域基地局が無線通信端末に対し切り替えを指示させるため、無線通信端末の機能変更を伴わずに狭域基地局に通信を切り替えさせることができる。
【００２２】
本発明の無線通信システムは、広域基地局で通信可能な広域エリア内にある狭域エリアで通信可能な狭域基地局の基地局装置と、前記広域基地局および前記狭域基地局と通信可能な無線通信端末とを備えた無線通信システムであって、前記無線通信端末に付属した無線ＩＣ機器を有し、前記基地局装置が、前記無線通信端末との通信を行う端末通信部と、前記無線ＩＣ機器との通信を行うＩＣ通信部と、前記広域基地局を制御する管理サーバとの通信を行う基地局通信部とを備え、前記ＩＣ通信部が前記無線ＩＣ機器から送信された信号を検知した場合において、前記無線通信端末が前記広域基地局と通信している際、前記無線通信端末が前記端末通信部と通信させるように切り替えさせるための切替情報を前記管理サーバに前記基地局通信部を介して通知する制御部とを備えた構成を有している。
【００２３】
この構成により、無線ＩＣ機器から送信された信号を検知した場合において、無線通信端末が広域基地局と通信している際、無線通信端末が基地局装置と通信させるように切り替えさせるための切替情報を管理サーバに基地局通信部を介して通知することで、広域基地局が無線通信端末に対し切り替えを指示させるため、無線通信端末の機能変更を伴わずに狭域基地局に通信を切り替えさせることができる。
【発明の効果】
【００２４】
本発明は、無線通信端末に対し広域基地局から狭域基地局に通信を切り替えさせる場合、無線通信端末の機能変更を伴わずに狭域基地局に通信を切り替えさせることができる基地局装置および無線通信システムを提供するものである。
【発明を実施するための最良の形態】
【００２５】
以下、本発明の実施の形態について、図面を参照して説明する。
【００２６】
図１は、本実施例に係るフェムトセルを用いた無線通信システムの構成図である。図１に示した無線通信システムは、ＣＤＭＡ方式を用いた公衆網の広域基地局５およびフェムトセル基地局１０を備えている。また、フェムトセル基地局１０で通信可能とするエリアであるフェムトセルは、広域基地局５で通信可能とするエリアであるマクロセルの内部にあるため、無線通信端末９は、フェムトセル基地局１０および広域基地局５の双方と通信可能である。なお、フェムトセル基地局１０は、例えば、家屋内やオフィス内などに設置される。
【００２７】
無線通信端末９は、ＣＤＭＡ方式を用いた携帯端末であり、通信相手の通信機器と通話やデータ通信を行うことができる。さらに、無線通信端末９には、ＲＦタグ９ａが付属されている。図１に示したように、無線通信端末９とＲＦタグ９ａとが密着した形態でユーザが使用するのが好ましいが、特にこの形態に限定しない。例えば、無線通信端末９とＲＦタグ９ａとが密着しないで、ＲＦタグ９ａが無線通信端末９の近辺にある状態でユーザが使用してもよい。
【００２８】
フェムトセル基地局１０は、基地局装置本体１０ａおよびＲＦタグ質問機１０ｂを有しており、これらの詳細は後述する。なお、ＲＦタグ９ａおよびＲＦタグ質問機１０ｂは、互いに通信可能である。
【００２９】
本発明のＩＣ通信部をＲＦタグ質問機１０ｂとして例示しているが、本発明の無線ＩＣ機器と通信できるものであれば如何なるものでもよい。また、本発明の無線ＩＣ機器をＲＦタグ９ａとして例示しているが、ＩＣカードなどでもよく、本発明のＩＣ通信部と通信できるものであれば如何なるものでもよい。
【００３０】
なお、本実施例では、ＲＦタグ質問機１０ｂとＲＦタグ９ａとが通信できる通信可能距離は、フェムトセル基地局１０と無線通信端末９とが通信できる通信可能距離に合わせて、略同じに設定されてある。なお、ＲＦタグ質問機１０ｂとＲＦタグ９ａとが通信できる通信可能距離が、フェムトセル基地局１０と無線通信端末９とが通信できる通信可能距離よりも短くてもよい。
【００３１】
さらに、図１に示した無線通信システムは、広域基地局５に接続されるネットワーク７とフェムトセル基地局１０とを接続するゲートウェイ８と、広域基地局５を管理する管理サーバ６とを備えている。
【００３２】
管理サーバ６は、ＯＡＭ（Operation And Maintenance）機能を有しており、例えば、管理対象の広域基地局５と無線通信端末９との通信に関する通信情報を管理している。通信情報には、無線通信端末９のＩＤ、無線通信端末９の通信状態、および無線通信端末９の使用周波数チャネルなどがある。通信状態には、通信中または待受中などの状態がある。フェムトセル基地局１０は、管理サーバ６で管理されている通信情報をゲートウェイ８を介して取得することができる。
【００３３】
図２は、本実施例のフェムトセル基地局を構成する基地局装置のブロック図を示している。図２に示した基地局装置本体１０ａは、端末通信部１１、制御部１２、ネットワークインタフェース部１３、ＲＦタグインタフェース部１４、およびデータベース１５によって構成されている。
【００３４】
端末通信部１１は、ＲＦ送受信部１１ａ、送信系ＲＦ回路部１１ｂ、送信系変調部１１ｃ、受信系ＲＦ回路部１１ｄ、および受信系復調部１１ｅによって構成されている。これらの部材は、例えば集積回路等によって構成される。ＲＦ送受信部１１ａは、無線通信端末９と通信するためにアンテナからＲＦ信号を送受信するものである。
【００３５】
送信系変調部１１ｃは、制御部１２から出力された信号を変調処理し、送信系ＲＦ回路部１１ｂは、変調処理された信号を無線信号に変換してＲＦ送受信部１１ａに出力するようになっている。また、受信系ＲＦ回路部１１ｄは、受信した信号を変換し、受信系復調部１１ｅは、その信号を復調処理して制御部１２に出力するようになっている。
【００３６】
ネットワークインタフェース部１３は、広域基地局５および管理サーバ６に接続されるネットワーク７との通信を行うものであり、ＲＦタグインタフェース部１４は、ＲＦタグ質問機１０ｂとの通信を行うものである。
【００３７】
制御部１２は、ベースバンド信号処理部１２ａおよびプロトコル制御部１２ｂによって構成されている。ベースバンド信号処理部１２ａは、入出力される信号に対してベースバンドの信号を処理し、プロトコル制御部１２ｂは、その信号に対してＣＤＭＡ等の無線通信規格に準拠して処理を行うものである。制御部１２は、例えばＣＰＵ、ＲＯＭ、ＲＡＭで構成される。
【００３８】
データベース１５は、フェムトセル基地局１０と通信する際に正規の無線通信端末９のＩＤの正規リストを記憶する記憶媒体を有している。また、データベース１５は、正規の無線通信端末９のＩＤとＲＦタグ９ａの識別子であるＲＦタグＩＤとを対応付けたＲＦタグＩＤリストを格納していてもよい。正規リストおよびＲＦタグＩＤリストを図３に示す。
【００３９】
ＲＦタグ質問機１０ｂは、ＲＦタグ９ａの存在する検知するため、ＲＦタグ９ａと通信するための質問電波を放射するようになっている。例えば、ＲＦタグ質問機１０ｂは、常に質問電波を放射してもよく、または、一定時間の間隔で質問電波を放射してもよく、ＲＦタグ９ａの存在する検知するように質問電波を放射するようになっている。
【００４０】
以上のように構成されたフェムトセル基地局１０の動作について図面を用いて説明する。
【００４１】
（第１実施例）
図４は、図２に示した基地局装置の第１実施例の動作例を示すフローチャートである。第１実施例の動作例では、図４のフローチャートの動作は一定時間間隔で行われるものとする。
【００４２】
まず、フェムトセル基地局１０が起動した後、ＲＦタグ質問機１０ｂは、ＲＦタグ９ａと通信するための質問電波を放射する（Ｓ１）。次に、ＲＦタグ質問機１０ｂは、質問電波の応答がある否かを確認する（Ｓ２）。応答が無い場合、動作は一旦終了する。
【００４３】
ここで、図１に示したように、ＲＦタグ９ａと密着した無線通信端末９がフェムトセル基地局１０の通信可能エリアに入ってきたとする。すると、ＲＦタグ９ａは、質問電波に応答するための応答信号を送信する。なお、応答信号には、ＲＦタグＩＤなどが設定されている。
【００４４】
質問電波に対する応答があった場合、ＲＦタグ質問機１０ｂが制御部１２にＲＦタグＩＤを通知し、制御部１２は、データベース１５を参照してＲＦタグＩＤと対応する無線通信端末９のＩＤを取得する（Ｓ３）。なお、ＲＦタグＩＤは無線通信端末９のＩＤと同じにしてもよく、ＲＦタグＩＤは無線通信端末９のＩＤとが同じであった場合、Ｓ３の動作は不要となる。
【００４５】
次に、制御部１２は、取得した無線通信端末９のＩＤが図３の正規リストに含まれているか否かを判定する（Ｓ４）。制御部１２が取得した無線通信端末９のＩＤが正規リストに含まれていた場合、すなわち、正規の無線通信端末９である場合、制御部１２は、ネットワークインタフェース部１３を介して、この無線通信端末９のＩＤを管理サーバ６に送信することに加えて無線通信端末９の通信状態を管理サーバ６に問い合わせる（Ｓ５）。
【００４６】
無線通信端末９の通信状態を管理サーバ６に問い合わせた結果、無線通信端末９の電源が切れているなどの要因で圏外であった場合、または、フェムトセル基地局１０と既に通信している場合（Ｓ６）、動作は終了する。ここで、「通信している」とは、通話、データ通信、待ち受けしている動作を意味している。
【００４７】
制御部１２は、管理サーバ６に問い合わせた結果が返信されたとき、無線通信端末９が通話中またはデータ通信中など通信状態が通信中か待受中か判定する（Ｓ７）。なお、公衆網エリアに複数の広域基地局５がある場合、管理サーバ６に問い合わせた結果で、制御部１２は、無線通信端末９がどの広域基地局と通信しているか（すなわち、広域基地局のアドレス）を把握することができる。
【００４８】
通信状態が通信中の場合、制御部１２は、無線通信端末９と通信している広域基地局５に対して、ハンドオフするよう依頼する（Ｓ８）。ここで、ハンドオフするよう依頼する際には、制御部１２が、無線通信端末９が自己のフェムトセル基地局１０にハンドオフさせるための切替情報を広域基地局５に送信することになる。次に、制御部１２は、無線通信端末９がフェムトセル基地局１０にハンドオフしてきた場合（Ｓ９）、ハンドオフ処理を実施する（Ｓ１０）。
【００４９】
通信状態が待受中の場合、制御部１２は、無線通信端末９と通信している広域基地局５に対して、無線通信端末９が他の基地局で待受けするように依頼する（Ｓ１１）。ここで、待受けするよう依頼する際には、例えば、広域基地局５が、ページングをかけて対象の無線通信端末９とトラヒックチャネルを設定し、対象の無線通信端末９を一旦ハンドオフさせて設定したトラヒックチャネルをすぐ切断し、無線通信端末９が待受けするようにさせるための切替情報を制御部１２が広域基地局５に送信することになる。
【００５０】
次に、制御部１２は、無線通信端末９がフェムトセル基地局１０に位置登録などの待受けに必要な動作をしてきた場合（Ｓ１２）、待受けに関連する処理を実施する（Ｓ１３）。
【００５１】
以上説明したように、第１実施例のフェムトセル基地局装置は、ＲＦタグ９ａから送信された信号を検知した場合において、無線通信端末９が広域基地局５と通信している際、無線通信端末９が自己のフェムトセル基地局１０と通信させるように切り替えさせるための切替情報を広域基地局５に通知することで、広域基地局５が無線通信端末９に対し切り替えを指示させるため、無線通信端末９の機能変更を伴わずにフェムトセル基地局１０に通信を切り替えさせることができる。
【００５２】
また、ＲＦタグインタフェース部１４の通信可能距離と端末通信部１１の通信可能距離とが略同じであるため、ＲＦタグインタフェース部１４と端末通信部１１とが同じ時期に通信することが可能であり、ＲＦタグインタフェース部１４の通信可能距離が端末通信部１１の通信可能距離よりも長いために、ＲＦタグインタフェース部１４で信号に検知できたときに端末通信部１１で無線通信端末９から送信される信号を検知できないといった不具合を解消することができる。
【００５３】
（第２実施例）
図５は、図２に示した基地局装置の第２実施例の動作例を示すフローチャートである。第２実施例の動作例では、図５のフローチャートの動作は一定時間間隔で行われるものとする。また、第２実施例では、管理サーバ６が、無線通信端末９と通信している広域基地局５に対して、フェムトセル基地局１０にハンドオフするよう依頼したり、無線通信端末９が他の基地局で待受けするように依頼するようになっている。
【００５４】
まず、Ｓ１〜Ｓ４については、第１実施例と同様の動作であるため、それぞれの説明を省略する。次に、正規リストに含まれていた場合、すなわち、正規の無線通信端末９である場合、制御部１２は、ネットワークインタフェース部１３を介して、この無線通信端末９のＩＤを管理サーバ６に送信すると共に、無線通信端末９の通信状態を管理サーバ６に問い合わせ、通信状態に応じた切り替え処理を依頼する（Ｓ１５）。ここで、通信状態に応じた切り替え処理を依頼する際には、制御部１２が、無線通信端末９の通信状態に応じた切り替え処理をさせるための切替情報を広域基地局５に送信することになる。
【００５５】
依頼を受けた管理サーバ６は、無線通信端末９と通信している広域基地局５に対して、フェムトセル基地局１０にハンドオフするよう依頼したり、無線通信端末９が他の基地局で待受けするように依頼する。
【００５６】
無線通信端末９の通信状態を管理サーバ６に問い合わせた結果、無線通信端末９の電源が切れているなどの要因で圏外であった場合、または、フェムトセル基地局１０と既に通信している場合（Ｓ６）、動作は終了する。
【００５７】
制御部１２は、管理サーバ６に問い合わせた結果が返信されたとき、無線通信端末９の通信状態が通信中か待受中か判定する（Ｓ７）。通信状態が通信中の場合、制御部１２は、無線通信端末９がフェムトセル基地局１０にハンドオフしてきたとき（Ｓ９）、ハンドオフ処理を実施する（Ｓ１０）。
【００５８】
通信状態が待受中の場合、制御部１２は、無線通信端末９がフェムトセル基地局１０に位置登録などの待受けに必要な動作をしてきたとき（Ｓ１２）、待受けに関連する処理を実施する（Ｓ１３）。
【００５９】
以上説明したように、第２実施例のフェムトセル基地局装置は、無線通信端末９の通信状態を管理サーバ６に問い合わせた結果で、無線通信端末９がどの広域基地局と通信しているかを把握する必要が無くなり、通信状態に応じた処理を広域基地局５に依頼する必要もなくなるため、フェムトセル基地局の動作を簡素化することができる。
【産業上の利用可能性】
【００６０】
本発明にかかる基地局装置および無線通信システムは、無線通信端末に対し広域基地局から狭域基地局に通信を切り替えさせる場合、無線通信端末の機能変更を伴わずに狭域基地局に通信を切り替えさせることができるという効果を有し、狭域のエリア内で無線通信端末と通信する基地局装置およびこの基地局装置を利用した無線通信システムに幅広く有用である。
【図面の簡単な説明】
【００６１】
【図１】本実施例に係るフェムトセルを用いた無線通信システムの構成図である。
【図２】本実施例のフェムトセル基地局を構成する基地局装置のブロック図である。
【図３】正規リストおよびＲＦタグＩＤリストを示す図である。
【図４】図２に示した基地局装置の第１実施例の動作例を示すフローチャートである。
【図５】図２に示した基地局装置の第２実施例の動作例を示すフローチャートである。
【符号の説明】
【００６２】
５  広域基地局
６  管理サーバ
７  ネットワーク
８  ゲートウェイ
９  無線通信端末
９ａ  ＲＦタグ（無線ＩＣ機器）
１０  フェムトセル基地局（狭域基地局）
１０ａ  基地局装置本体
１０ｂ  ＲＦタグ質問機（ＩＣ通信部）
１１  端末通信部
１１ａ  ＲＦ送受信部
１１ｂ  送信系ＲＦ回路部
１１ｃ  送信系変調部
１１ｄ  受信系ＲＦ回路部
１１ｅ  受信系復調部
１２  制御部
１２ａ  ベースバンド信号処理部
１２ｂ  プロトコル制御部
１３  ネットワークインタフェース部（基地局通信部）
１４  ＲＦタグインタフェース部
【図１】
2010004103.tif 000003
【図２】
2010004103.tif 000004
【図３】
2010004103.tif 000005
【図４】
2010004103.tif 000006
【図５】
2010004103.tif 000007